【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
画像処理装置であって、
前記画像処理装置にログインするユーザを認証する第１アプリケーションを有効化する有効化手段と、
外部装置へ画像データを送信する第２アプリケーションに対する設定として、前記第２アプリケーションを使用するユーザを認証する認証機能であって、他のアプリケーションによる認証に用いられた認証情報を当該他のアプリケーションから引き継いで使用する引き継ぎ機能を有する前記認証機能のオン及びオフの設定を行う設定手段と、を備え、
前記設定手段は、前記第１アプリケーションが有効化されると、前記認証機能をオンに設定することによって、前記第１アプリケーションによって用いられた認証情報の、前記引き継ぎ機能による前記第２アプリケーションへの引き継ぎを可能にする
ことを特徴とする画像処理装置。
【請求項２】
前記第１アプリケーションは、ユーザの認証が成功すると、当該ユーザの認証情報を、前記引き継ぎ機能を使用して前記第２アプリケーションへ引き継ぎ、
前記第２アプリケーションは、前記第１アプリケーションから引き継いだ認証情報に基づいて、前記第２アプリケーションの使用を前記ユーザに許可する
ことを特徴とする請求項１に記載の画像処理装置。
【請求項３】
前記第２アプリケーションは、前記第１アプリケーションから引き継いだ認証情報に基づいて、前記ユーザに対応付けて前記画像処理装置又は外部のサーバ装置に保存されているアドレス帳に、前記画像データの送信先の設定のためにアクセスすることを許可する
ことを特徴とする請求項２に記載の画像処理装置。
【請求項４】
前記第２アプリケーションは、前記第１アプリケーションから引き継いだ認証情報に基づいて、前記第２アプリケーションを使用するユーザの認証を省略する
ことを特徴とする請求項１から３のいずれか１項に記載の画像処理装置。
【請求項５】
前記第１アプリケーションは、前記第１アプリケーションの認証方式と前記第２アプリケーションの認証方式とが同じであることに従って、前記引き継ぎ機能を使用して前記認証情報を前記第２アプリケーションへ引き継ぐ
ことを特徴とする請求項１から４のいずれか１項に記載の画像処理装置。
【請求項６】
前記第１アプリケーションは、前記第１アプリケーションに対してシングル・サインオン設定が行われていることに従って、前記引き継ぎ機能を使用して前記認証情報を前記第２アプリケーションへ引き継ぐ
ことを特徴とする請求項１から５のいずれか１項に記載の画像処理装置。
【請求項７】
前記設定手段は、更に、前記第１アプリケーションが無効化されると、前記認証機能のオン及びオフの設定を、前記第１アプリケーションが有効化される前の設定に戻す
ことを特徴とする請求項１から５のいずれか１項に記載の画像処理装置。
【請求項８】
前記設定手段は、
前記第１アプリケーションが有効化されると、前記認証機能をオンに設定する前に、前記認証機能のオン及びオフについての現在の設定を示す設定値を保存し、
前記第１アプリケーションが無効化されると、前記保存した設定値に基づいて、前記認証機能のオン及びオフの設定を行う
ことを特徴とする請求項７に記載の画像処理装置。
【請求項９】
前記第２アプリケーションは、前記画像処理装置に予めインストールされているアプリケーションであり、
前記第１アプリケーションは、前記画像処理装置に追加的にインストールされるアプリケーションである
ことを特徴とする請求項１から８のいずれか１項に記載の画像処理装置。
【請求項１０】
前記設定手段は、前記認証機能をオフに設定することによって、前記第１アプリケーションによって用いられた認証情報を前記引き継ぎ機能により前記第２アプリケーションへ引き継ぐことを制限する
ことを特徴とする請求項１から９のいずれか１項に記載の画像処理装置。
【請求項１１】
画像処理装置の制御方法であって、
前記画像処理装置にログインするユーザを認証する第１アプリケーションを有効化する有効化工程と、
外部装置へ画像データを送信する第２アプリケーションに対する設定として、前記第２アプリケーションを使用するユーザを認証する認証機能であって、他のアプリケーションによる認証に用いられた認証情報を当該他のアプリケーションから引き継いで使用する引き継ぎ機能を有する前記認証機能のオン及びオフの設定を行う設定工程と、を含み、
前記設定工程では、前記第１アプリケーションが有効化されると、前記認証機能をオンに設定することによって、前記第１アプリケーションによって用いられた認証情報の、前記引き継ぎ機能による前記第２アプリケーションへの引き継ぎを可能にする
ことを特徴とする画像処理装置の制御方法。
【請求項１２】
画像処理装置であって、
前記画像処理装置にログインするユーザの認証情報を使用することによって認証を行う機能を有する第１アプリケーションが有効化されたことに従って、認証情報を異なるアプリケーション間で引き継ぐ引き継ぎ機能を有する第２アプリケーションの前記引き継ぎ機能を使用することを、前記第１アプリケーションに許可する手段と、
前記第１アプリケーションによる認証で使用された前記認証情報を、前記引き継ぎ機能を使用して前記第１アプリケーションから前記第２アプリケーションに引き継ぐ手段と、
前記引き継がれた認証情報に基づいて前記第２アプリケーションを実行する手段と、
を備えることを特徴とする画像処理装置。
【請求項１３】
前記第１アプリケーションは、ログインアプリケーションであり、
前記第２アプリケーションは、送信アプリケーションである
ことを特徴とする請求項１２に記載の画像処理装置。
【請求項１４】
画像処理装置にログインするユーザの認証情報を使用することによって認証を行う機能を有する第１アプリケーションと、認証情報を異なるアプリケーション間で引き継ぐ引き継ぎ機能を有する第２アプリケーションと、を備える画像処理装置の制御方法であって、
前記第１アプリケーションが有効化されたことに従って、前記第２アプリケーションの前記引き継ぎ機能を使用することを、前記第１アプリケーションに許可する工程と、
前記第１アプリケーションによる認証で使用された前記認証情報を、前記引き継ぎ機能を使用して前記第１アプリケーションから前記第２アプリケーションに引き継ぐ工程と、
前記引き継がれた認証情報に基づいて前記第２アプリケーションを実行する工程と、
を含むことを特徴とする画像処理装置の制御方法。
【請求項１５】
前記第１アプリケーションは、ログインアプリケーションであり、
前記第２アプリケーションは、送信アプリケーションである
ことを特徴とする請求項１４に記載の画像処理装置の制御方法。
【請求項１６】
請求項１１、１４及び１５のいずれか１項に記載の画像処理装置の制御方法の各工程をコンピュータに実行させるためのプログラム。
【手続補正２】
【補正対象書類名】明細書
【補正対象項目名】０００７
【補正方法】変更
【補正の内容】
【０００７】
本発明の一態様に係る画像処理装置は、前記画像処理装置にログインするユーザを認証する第１アプリケーションを有効化する有効化手段と、外部装置へ画像データを送信する第２アプリケーションに対する設定として、前記第２アプリケーションを使用するユーザを認証する認証機能であって、他のアプリケーションによる認証に用いられた認証情報を当該他のアプリケーションから引き継いで使用する引き継ぎ機能を有する前記認証機能のオン及びオフの設定を行う設定手段と、を備え、前記設定手段は、前記第１アプリケーションが有効化されると、前記認証機能をオンに設定することによって、前記第１アプリケーションによって用いられた認証情報の、前記引き継ぎ機能による前記第２アプリケーションへの引き継ぎを可能にすることを特徴とする。
また、本発明の他の一態様に係る画像処理装置は、前記画像処理装置にログインするユーザの認証情報を使用することによって認証を行う機能を有する第１アプリケーションが有効化されたことに従って、認証情報を異なるアプリケーション間で引き継ぐ引き継ぎ機能を有する第２アプリケーションの前記引き継ぎ機能を使用することを、前記第１アプリケーションに許可する手段と、前記第１アプリケーションによる認証で使用された前記認証情報を、前記引き継ぎ機能を使用して前記第１アプリケーションから前記第２アプリケーションに引き継ぐ手段と、前記引き継がれた認証情報に基づいて前記第２アプリケーションを実行する手段と、を備えることを特徴とする。
【手続補正３】
【補正対象書類名】明細書
【補正対象項目名】００３７
【補正方法】変更
【補正の内容】
【００３７】
その後、ＣＰＵ１０１は、Ｓ４０３で、認証送信をＯＮに設定する。ここでは、認証送信がＯＮに設定されていた場合には、その設定が維持され、認証送信がＯＦＦに設定されていた場合には、ＯＦＦからＯＮに設定が変更される。ＣＰＵ１０１は、認証送信の設定が完了すると、処理を終了する。